(57)【要約】【課題】交換自在なハードディスクの交換時に他のハードディスクへ記録し続け、長時間の情報記録に中断が生じることがなく取り扱い操作も容易なハードディスクレコーダーを提供する。【解決手段】レコーダー本体に設けられたスロット１６と、初期化判定手段１５から交換型ハードディスク２２が未初期化ディスクであることを示す検出信号が送出されてくると初期化処理に移行し、また、残量検出手段１７から前記交換型ハードディスク２２の残容量が少ないことを示す信号が送出されてきたとき、警告および残容量を表示手段１２に表示させ、さらに、前記交換型ハードディスク２２の交換時に、入力情報を前記小容量ハードディスク２１に記憶させ、交換終了後は前記小容量ハードディスク２１の記録情報を交換前後の記録情報に一連の情報として編集処理させる制御を行う制御手段２０と、を備えた。【選択図】　　　図１
2004023588.tif 000002
【特許請求の範囲】
【請求項１】
リアルタイムで入力する放送電波の受信情報等をハードディスクの情報記録エリヤに記録するとともに、この記録内容に関する管理情報を前記ハードディスクの管理情報エリヤに記憶し、前記情報記録エリヤへの記録が終了したときは、この情報記録エリヤの先頭に戻って前記受信情報を上書き記録するハードディスクレコーダーにおいて、
レコーダー本体に設けられ交換型ハードディスクが着脱自在に装着されるスロットと、
このスロットに装着された前記交換型ハードディスクが初期化されているか否かを判別する初期化判定手段と、
前記交換型ハードディスクの情報記録エリヤに入力情報の記録が可能な残容量を検出する残量検出手段と、
前記レコーダー本体に内蔵され前記交換型ハードディスクの交換に必要な時間に相当する情報記憶容量を有した小容量ハードディスクと、
前記初期化判定手段から前記交換型ハードディスクが未初期化ディスクであることを示す検出信号が送出されてくると初期化処理に移行し、また、前記残量検出手段から前記交換型ハードディスクの残容量が少ないことを示す信号が送出されてきたとき、警告および残容量を表示手段に表示させ、さらに、前記交換型ハードディスクの交換時に、入力情報を前記小容量ハードディスクに記憶させ、交換終了後は前記小容量ハードディスクの記録情報を交換前後の記録情報に一連の情報として編集処理させる制御を行う制御手段と、を備えたことを特徴とするハードディスクレコーダー。
【請求項２】
前記制御手段が、前記スロットに前記交換型ハードディスクが装着された後、前記残量検出手段から当該交換型ハードディスクに残容量があることを示す信号を受けたとき、前記表示手段にこの交換型ハードディスクを初期化するか上書きするかの選択を促す表示を行わせることを特徴とする請求項１に記載のハードディスクレコーダー。
【請求項３】
前記制御手段が、予約プログラムに基づいて前記スロットに装着される交換型ハードディスクに入力情報の記録を行うとき、前記残量検出手段からの信号を受けて装着ディスクの残容量と予約時間とを比較し、予約記録可能な残容量が不足しているときは、前記表示手段にディスク交換を促す表示を行わせることを特徴とする請求項１に記載のハードディスクレコーダー。
【請求項４】
前記制御手段が、前記交換型ハードディスクの交換時、前記残量検出手段に前記小容量ハードディスクの残容量を検出させた後、その残容量を前記表示手段に表示させることを特徴とする請求項１に記載のハードディスクレコーダー。
【発明の詳細な説明】
【０００１】
【発明の属する技術分野】
本発明は、テレビ放送電波等の受信信号を録再型ディスクであるハードディスクに記録するハードディスクレコーダーに係り、特に、ハードディスクの着脱が自在でそのディスク交換時にも入力情報の記録を続行し得るハードディスクレディコーダーに関する。
【０００２】
【従来の技術】
ハードディスクレコーダーは、本体にハードディスクを内蔵して入力情報を記録するＡＶ装置であることから、記録時間を増すために様々な提案がなされている。
例えば、ハードディスクドライブ装置（特開平０５−３１４７４８号公報参照）においては、１個の基台上に２個以上の小型のハードディスクドライブユニットを着脱自在に装着する構成となっている。
このものは、装置の使用中にその記憶容量が不足となった場合、新規な小型のハードディスクドライブユニットを更に１台用意し、基台上の空のコネクタに接続することにより、即座に記録容量の増設を可能とするものである。
【０００３】
また、ランダムアクセス可能な記録媒体とそれを用いたデジタル記録再生装置およびデジタルデータの記録再生方法が提案されている（特開２００１−１６７５０７号公報参照）。
このものは、着脱可能な記録媒体ごとにエンドレス記録を指定することができ、記録媒体に空き領域が不足したときは、所定の手順に従って次々と記録領域を確保しながら録画を進めるようになっている。これいより、エンドレス記録が可能になるというものである。
【０００４】
また、パーソナルコンピュータ等の電子機器の一例として、スロット部を有する内蔵機器の取付構造が知られている（特開平０８−２０３２５７号公報参照）。
このものは、電子機器本体に外部記憶装置やネットワーク機器等の内蔵機器を取り付ける際、電子機器本体の一面に開口し、内蔵機器を装着するためのスロット部を設け、このスロット部に内蔵機器を載せる引き出し可能なトレイを設けている。
この内蔵機器の取付構造は、外部記憶装置をスロット部に装着することで、交換可能なメモリとして利用できるというものである。
また、カード型ハードディスク装置およびこれを用いるハードディスク情報処理装置が提案されている（特開平０８−２０３２５７号公報参照）。
このものは、カード型ハードディスクが、パーソナルコンピュータの側面に設けられたスロットに装着可能な外形形状を有している。そして、パーソナルコンピュータへの装着時において、この内部回路と電気的に接続されるコネクタと、パーソナルコンピュータへの装着時において外部に露出する側面に設けられた差込式キー機構とを備えている。
これにより、カード型ハードディスクを交換することで、記憶容量を増すことができるというものである。
【０００５】
【発明が解決しようとする課題】
ところで、上記従来のハードディスク装置やその記録再生方法は、各種のハードディスクをスロットを設ける等により着脱可能として記録時間を増そうとするものであるが、何れもハードディスクの交換時に入力情報の記録が一時的に途切れることがあった。
このため、長時間のテレビ放送番組等を一連の情報としてハードディスクに記録しておけないという問題が残されていた。
また、これらの装置は、ハードディスクを装着したときに初期化されているか否かを迅速に判別できないうえ、未初期化ディスクの場合は直ぐに初期化するようにはなっていないため、記録を続行するうえで不具合があった。
【０００６】
本発明は、上記課題に鑑みて創案されたもので、交換自在なハードディスクの交換時に他のハードディスクへ記録し続け、長時間の情報記録に中断が生じることがなく取り扱い操作も容易なハードディスクレコーダーを提供することを目的としている。
【０００７】
【課題を解決するための手段】
上記目的を達成するため、本発明のうち請求項１に記載の発明は、リアルタイムで入力する放送電波の受信情報等をハードディスクの情報記録エリヤに記録するとともに、この記録内容に関する管理情報を前記ハードディスクの管理情報エリヤに記憶し、前記情報記録エリヤへの記録が終了したときは、この情報記録エリヤの先頭に戻って前記受信情報を上書き記録するハードディスクレコーダーにおいて、レコーダー本体に設けられ交換型ハードディスクが着脱自在に装着されるスロットと、このスロットに装着された前記交換型ハードディスクが初期化されているか否かを判別する初期化判定手段と、前記交換型ハードディスクの情報記録エリヤに入力情報の記録が可能な残容量を検出する残量検出手段と、前記レコーダー本体に内蔵され前記交換型ハードディスクの交換に必要な時間に相当する情報記憶容量を有した小容量ハードディスクと、前記初期化判定手段から前記交換型ハードディスクが未初期化ディスクであることを示す検出信号が送出されてくると初期化処理に移行し、また、前記残量検出手段から前記交換型ハードディスクの残容量が少ないことを示す信号が送出されてきたとき、警告および残容量を表示手段に表示させ、さらに、前記交換型ハードディスクの交換時に、入力情報を前記小容量ハードディスクに記憶させ、交換終了後は前記小容量ハードディスクの記録情報を交換前後の記録情報に一連の情報として編集処理させる制御を行う制御手段と、を備えたことを特徴としている。
【０００８】
また、請求項２に記載の発明は、前記制御手段が、前記スロットに前記交換型ハードディスクが装着された後、前記残量検出手段から当該交換型ハードディスクに残容量があることを示す信号を受けたとき、前記表示手段にこの交換型ハードディスクを初期化するか上書きするかの選択を促す表示を行わせることを特徴としている。
また、請求項３に記載の発明は、前記制御手段が、予約プログラムに基づいて前記スロットに装着される交換型ハードディスクに入力情報の記録を行うとき、前記残量検出手段からの信号を受けて装着ディスクの残容量と予約時間とを比較し、予約記録可能な残容量が不足しているときは、前記表示手段にディスク交換を促す表示を行わせることを特徴としている。
また、請求項４に記載の発明は、前記制御手段が、前記交換型ハードディスクの交換時、前記残量検出手段に前記小容量ハードディスクの残容量を検出させた後、その残容量を前記表示手段に表示させることを特徴としている。
【０００９】
【発明の実施の形態】
以下、本発明の実施の形態について、図示例を参照しながら説明する。
図１は、本発明に係るハードディスクレコーダーの電気的構成を示すブロック線図である。
このハードディスクレコーダー（ＨＤＤレコーダー）１は、受信したテレビ放送電波等の入力信号を小容量ハードディスク２１または交換型ハードディスク２２に記録し、かつ再生可能な構成になっている。
これらハードディスク２１，２２は、記録エリヤが外周と内周とに分かれており、外周側の情報記録エリヤに入力信号が記録され、内周側の管理情報エリヤに前記記録信号の内容に関する管理情報が記録される。
なお、交換型ハードディスク２２は、従来のＨＤＤレコーダーと異なり、交換自在なタイプで、４０ＧＢや８０ＧＢといった大容量のハードディスクを採用することにより、８時間〜１日程度の連続記録を可能にしている。
また、小容量ハードディスク２１は、交換型ハードディスク２２の交換時に記録のブランクを生じさせないために備えるもので、入力信号を５、６分間記録可能なように、５００ＭＢまたは１ＧＢのハードディスクを使用する。
【００１０】
２はチューナであり、アンテナにより受信された信号電波のうちリモコン１８で指定されたチャンネルを選択し、映像信号と音声信号とからなるテレビジョン信号に復調してＡ／Ｄ変換器３とグラフィックコントローラ１１とに供給する。
Ａ／Ｄ変換器３は、アナログのテレビジョン信号をディジタル信号に変換し、ＭＰＥＧコーデック４側に送出する。
このＭＰＥＧコーデック４は、ＭＰＥＧ２ビデオエンコーダ（ビデオエンコーダ）５、オーディオエンコーダ６、マルチプレクサ／デマルチプレクサ７、ＭＰＥＧ２ビデオデコーダ（ビデオデコーダ）８およびオーディオデコーダ９を備えて構成されている。
このＭＰＥＧコーデック４に前記ディジタル信号が入力すると、ディジタル映像信号はビデオエンコーダ５に伝送され、ディジタル音声信号はオーディオエンコーダ６に伝送される。
ビデオエンコーダ５は、ディジタル映像信号を圧縮してマルチプレクサ／デマルチプレクサ７に与え、オーディオエンコーダ６はディジタル音声信号を圧縮してマルチプレクサ／デマルチプレクサ７に与える。
【００１１】
このマルチプレクサ／デマルチプレクサ７は、入力した映像信号のストリームと音声信号のストリームとをマルチプレクスし、ＭＰＥＧ２のシステムストリームに変換するようになっている。
また、このマルチプレクサ／デマルチプレクサ７は、後述のバッファメモリから受け取ったＭＰＥＧ２のシステムストリームを、映像信号のストリームと音声信号のストリームとにデマルチプレクスし、映像信号をビデオデコーダ８側に、音声信号をオーディオデコーダ９側に送出する。
ビデオデコーダ８は、入力した映像信号のストリームをデコードしてＤ／Ａ変換器１０に送出し、オーディオデコーダは音声信号のストリームをデコードしてＤ／Ａ変換器１０にそれぞれ送出する。
このＤ／Ａ変換器１０は、入力信号をそれぞれアナログ信号に変換し、映像信号と音声信号とからなるアナログのテレビジョン信号をグラフィックコントローラ１１に供給する。
このグラフィックコントローラ１１は、チューナ２やＤ／Ａ変換器１０から入力するアナログのテレビジョン信号の何れかを選択し、ＴＶ１２側に供給するようになっている。
【００１２】
また、前記マルチプレクサ／デマルチプレクサ７は、システムコントローラ２０と双方向性に接続され、入力回路部１３および出力回路部１４を介してＨＤＤコントローラ１５とも接続されている。
この入力回路部１３は、図示省略しているがバッファメモリ、ディジタルインプットを途中に含む第１のデータバスからなるデータチャンネルを備えており、入力端子１３ａを介して外部機器と接続されている。
一方、出力回路部１４は、バッファメモリ、ディジタルアウトプットを途中に含む第２のデータバスからなるデータチャンネルを備えており、出力端子１４ａを介して外部機器と接続されている。
そして、入力回路部１３および出力回路部１４は、それぞれのバッファメモリをＨＤＤコントローラ１５と双方向性に接続し、入力回路部１３のディジタルインプットと出力回路部１４のディジタルアウトプットとをシステムコントローラ２０に接続している。
これにより、前記各バッファメモリ、マルチプレクサ／デマルチプレクサ７、ＨＤＤコントローラ１５およびシステムコントローラ２０の間で、ＭＰＥＧ２のシステムストリームデータが送受信されるものである。
【００１３】
なお、ＨＤＤコントローラ１５は、前記小容量ハードディスク２１用のハードディスクドライバを内蔵している。また、このＨＤＤコントローラ１５には、着脱用のスロット１６が接続されており、このスロット１６に装着される交換型ハードディスク２２用のハードディスクドライバも備えている。
そして、スロット１６に交換型ハードディスク２２が装着されると、装着検出信号をシステムコントローラ２０に送出する一方、スロット１６から交換型ハードディスク２２が抜き出されると、取出し検出信号を送出する。
さらに、このＨＤＤコントローラ１５には、残量検出部１７を設けており、前記何れかのハードディスクドライバで読み取った管理情報から、小容量ハードディスク２１または交換型ハードディスク２２の残容量（記録可能な時間）を検出してその情報をシステムコントローラ２０に送出する。
１８はリモコンであり、パワーキー、メニューキー、テンキー等に加え、再生したいタイトルの検索、選択、消去、タイマ予約、指定したタイトルの再生開始、一時停止、早送り、早戻し、停止等の各種機能キーを備えている。
そして、何れかのキーが押圧操作されると、この操作内容に応じた指令信号が赤外線信号で送信され、受信部１９を介してＨＤＤプレイヤー１のシステムコントローラ２０側に送られる。
【００１４】
このシステムコントローラ２０は、前記マルチプレクサ／デマルチプレクサ７、グラフィックコントローラ１１およびＨＤＤコントローラ１５を含むＨＤＤプレイヤー１全体の動作を制御する制御部であって、メモリ２０ａ、クロックタイマ、ＯＳＤ（オンスクリーンディスプレイ）等を備えており、前記回路各部とはその機能に応じて一方向性あるいは双方向性に接続されている。
メモリ２０ａには、ＳＤ−ＲＡＭを用いており、前記交換型ハードディスク２２が未初期化ディスクであるか否かを判別し、かつ未初期化ディスクを初期化するソフトが記憶されている。また、記録情報の編集ソフト等も記憶している。
このように構成されたシステムコントローラ２０は、リモコン１８からの指令信号を受けると、その指令内容に応じた動作を実行する。また、予約プログラムに従って、受信放送電波のチャンネルを記録する。
さらに、スロット１６に交換型ハードディスク２２が装着されると、未初期化ディスクであるか否かを判別して初期化を促すモードに移行するといった動作制御を行う。
【００１５】
次に、上記ＨＤＤプレイヤーの動作について、図を参照しつつ説明する。
まず、ユーザーがスロット１６に交換型ハードディスク２２を装着すると、システムコントローラ２０は、ＨＤＤコントローラ１５からの装着検出信号により、メモリ２０ａのデータに基づいて初期化判定を行う。
ここで、交換型ハードディスク２２が未初期化ディスクであると判別されると、システムコントローラ２０は、メモリ２０ａの初期化ソフトにより交換型ハードディスク２２を初期化させる。
そして、ＯＳＤから表示制御信号をＴＶ１２に送出させ、モニタの画面に初期化中であることを示すサインを表示させる。
また、交換型ハードディスク２２が初期化されていると判別された場合、情報が記録されている場合は、残量検出部１７からの検出信号を受けてモニタの画面に残量を表示させる。
この後、ユーザーがリモコン１８で記録開始指令を入力すると、システムコントローラ２０は、入力信号の上書き記録を行わせる。
【００１６】
このような記録中、残量検出部１７から交換型ハードディスク２２の残容量が少ないことを示す信号が送出されてきたときは、ＯＳＤから表示制御信号をＴＶ１２に送出させ、警告および残容量をモニタの画面に表示させる。
そして、ユーザーが交換型ハードディスク２２をスロット１６から抜き出すと、システムコントローラ２０は、ＨＤＤコントローラ１５からの取出し検出信号を受けて、入力情報を直ぐに小容量ハードディスク２１に記録させる。
この際、システムコントローラ２０は、自動的にファイルを作成して前の交換型ハードディスク２２に記録された入力情報に関連するファイル名を付与しておく。
なお、この記録中も、残量検出部１７からの検出信号を受けて、小容量ハードディスク２１の残容量をモニタの画面に表示させる。このため、ユーザーは、交換に要する時間と残された時間とを確認しつつ適切に交換作業を行うことができる。
【００１７】
次いで、新たな交換型ハードディスク２２が装着されると、装着検出信号に基づき入力情報を直ぐにこの新たなディスクに記憶させる。
この後、放送番組等が終了することにより記録が終了すると、システムコントローラ２０は直ぐに記録編集モードに移行し、編集ソフトにより記録編集を実行する。
この記録編集では、小容量ハードディスク２１への記録情報を１つのファイルにしてあるので、これを前後の記録情報に連結する。
これにより、放送番組等が途切れることなく一連の情報として新たな交換型ハードディスク２２に記録される。
よって、長時間の放送番組を記録する際に中断が生じる問題がなくなる。
【００１８】
【発明の効果】
以上説明したように、本発明のうち講求項１に記載の発明は、初期化判定手段から交換型ハードディスクが未初期化ディスクであることを示す検出信号が送出されてくると初期化処理に移行するので、交換型ハードディスクを初期化して直ぐに入力情報を記録することができる。
また、残量検出手段から交換型ハードディスクの残容量が少ないことを示す信号が送出されてくると、警告および残容量を表示手段に表示させるので、ユーザーにハードディスクの交換が必要なことを早期に気づかせることができる。
さらに、交換型ハードディスクの交換時に、入力情報を小容量ハードディスクに記憶させ、交換終了後は小容量ハードディスクの記録情報を交換前後の記録情報に一連の情報として編集処理させるので、長時間の情報記録に中断が生じる問題がなくなるといった効果がある。
【００１９】
また、請求項２に記載の発明は、スロットに装着された交換型ハードディスクに残容量があることを示す信号を受けたとき、表示手段にこの交換型ハードディスクを初期化するか上書きするかの選択を促す表示を行わせるので、ユーザーは
交換型ハードディスクを最も都合よく有効活用できる利点がある。
また、請求項３に記載の発明は、予約プログラムに基づいて入力情報の記録を行うとき、装着ディスクの残容量と予約時間とを比較し、予約記録可能な残容量が不足しているときは、表示手段にディスク交換を促す表示を行わせるので、予約記録が充分可能なディスクを用いて予約記録を行うことができる利点がある。
また、請求項４に記載の発明は、交換型ハードディスクの交換時、残量検出手段に小容量ハードディスクの残容量を検出させた後、その残容量を表示手段に表示させるので、残容量不足をユーザーに気づかせることにより、一層確実に入力情報の記録ができる利点がある。
【図面の簡単な説明】
【図１】本発明の実施の形態に係るハードディスクレコーダーの電気的構成を示すブロック線図である。
【符号の説明】
１２　表示手段
１５　初期化判定手段
１６　スロット
２０　制御手段
２１　小容量ハードディスク
２２　交換型ハードディスク
【図１】
2004023588.tif 000003